(57)【要約】【課題】フィルタの目詰まりを確実に使用者に伝える洗濯乾燥機を提供すること。【解決手段】制御手段８８は、乾燥行程において目詰まり検知手段１７によりフィルタ５１の目詰まりを検知し、乾燥行程運転終了後にフィルタ掃除ランプ１０ｆを点滅もしくは点灯させ、フィルタ掃除ランプ１０ｆの点滅もしくは点灯後、所定時間内に電源スイッチ１４ｈにより電源が切られなかった場合には前記所定時間経過後自動的に電源を切り、次回運転時に電源スイッチ１４ｉにより電源が入った時にフィルタ掃除ランプ１０ｆを点滅もしくは点灯させるとともに、前記所定時間内に電源スイッチ１４ｈにより電源が切られた場合には次回運転時に電源スイッチ１４ｉにより電源が入った時にフィルタ掃除ランプ１０ｆを消灯させることで、使用者にフィルタ５１が目詰まりしていることを確実に伝え、フィルタ５１の掃除を促すことができ、乾燥性能の低下を防止することができる。【選択図】図１
2013013536.tif 000002
【特許請求の範囲】
【請求項１】
洗濯物を収容する回転ドラムと、前記回転ドラムを回転自在に内包する水槽と、前記回転ドラムを回転駆動するモータと、前記水槽および回転ドラム内に乾燥用空気を供給する乾燥手段と、洗い、すすぎ、脱水、乾燥の一連の行程を逐次制御する制御手段と、前記水槽および前記乾燥手段に連通し乾燥用空気を循環させる循環送風経路と、前記循環送風経路内に配設されたフィルタ室と、前記フィルタ室に着脱自在に収納され乾燥用空気に混入した異物を濾過するフィルタと、前記フィルタの目詰まりを検知する目詰まり検知手段と、前記フィルタの目詰まりを報知し前記フィルタ掃除を使用者に促すフィルタ掃除ランプと、前記制御手段への電源を入切する電源スイッチと、前記制御手段への入力設定を行う入力設定手段と、前記フィルタ掃除ランプを有すると共に前記入力設定の内容や運転状態を表示する表示手段とを備え、前記制御手段は、乾燥行程において前記目詰まり検知手段により前記フィルタの目詰まりを検知し、乾燥行程運転終了後に前記フィルタ掃除ランプを点滅もしくは点灯させ、前記フィルタ掃除ランプの点滅もしくは点灯後、所定時間内に前記電源スイッチにより電源が切られなかった場合には前記所定時間経過後自動的に電源を切り、次回運転時に前記電源スイッチにより電源が入った時に前記フィルタ掃除ランプを点滅もしくは点灯させるとともに、前記所定時間内に前記電源スイッチにより電源が切られた場合には次回運転時に前記電源スイッチにより電源が入った時に前記フィルタ掃除ランプを消灯させる洗濯乾燥機。
【請求項２】
前記フィルタの前記フィルタ室からの着脱を検知するフィルタ検知手段を有し、前記制御手段は、前記フィルタ掃除ランプの点滅もしくは点灯後、前記所定時間内に前記フィルタが取り外されたことを前記フィルタ検知手段が検知した場合には、次回運転時に前記電源スイッチにより電源が入った時に前記フィルタ掃除ランプを消灯させる請求項１項記載の洗濯乾燥機。
【請求項３】
前記制御手段は、前記フィルタ掃除ランプの点滅もしくは点灯後、前記所定時間内に前記フィルタが取り外されたことを前記フィルタ検知手段が検知した場合には、自動的に電源を切る請求項２記載の洗濯乾燥機。
【発明の詳細な説明】
【技術分野】
【０００１】
本発明は、回転ドラム内に収容した洗濯物を洗濯、乾燥する洗濯乾燥機に関するものである。
【背景技術】
【０００２】
従来、この種の洗濯乾燥機は、乾燥行程において発生する糸くずなどを、循環送風経路内に設けたフィルタにて捕集する構成が提案されてきた。（例えば、特許文献１参照）
図３は、特許文献１に記載された従来の洗濯乾燥機の縦断面図を示すものである。
【０００３】
図３において、外箱１０１内には、水槽１０３及びその内側の脱水槽１０５と、乾燥風が流れる乾燥風循環通路１０７が配置されている。乾燥風循環通路１０７は、ダクト１３９により形成され、内部には送風器１４１、除湿器１４３、ヒータ１４５がそれぞれ配置されている。乾燥風循環通路１０７の一方の吹出口１３９ａは脱水槽１０５の乾燥風取入口１１７と連通している。また、他方の吸込口１３９ｂは脱水槽１０５の乾燥風取出口１１９と連通しており、かつ、フィルタ１４７が設けられている。なお、乾燥風取出口１１９は開閉扉１２５を開けた時に、洗濯物を出し入れする出し入れ口を兼ねる形状となっている。また、開閉扉１２５が臨む水槽１０３の開口周縁部は、外箱１０１から延長された可撓部材１４９の一部分に吸込口１３９ｂ及び乾燥風取出口１１９と連通し合う連通口１４９ａが設けられている。
【０００４】
フィルタ１４７は、糸くずなどを濾過する材質によって作られ、外箱１０１に対して脱着可能な引出し式タイプのフィルタケース１５１内に配置されている。したがって、フィルタケース１５１を外箱１０１から引き出すことで、フィルタ１４７の掃除が可能となっている。
【０００５】
このように構成された洗濯乾燥機によれば、洗濯運転が終了し乾燥運転に入ると、ヒータ１４５によって生成された乾燥風は、乾燥風取入口１１７から脱水槽１０５内に送り込まれ、乾燥が行なわれる。そして、仕事を終えた乾燥風は、乾燥風取出口１１９から乾燥風循環通路１０７に戻る。この時、乾燥風は、除湿器１４３の通過時に水分が取り除かれ、再び乾燥風取入口１１７から脱水槽１０５へ送り込まれる循環を繰り返す。この乾燥運転時において、脱水槽１０５内で発生した糸くずなどは、フィルタ１４７によって捕集される。
【先行技術文献】
【特許文献】
【０００６】
【特許文献１】特開平８−２４３２９２号公報
【発明の概要】
【発明が解決しようとする課題】
【０００７】
しかしながら、前記従来の構成では、フィルタに糸くずなどが溜まったかどうかは使用者が定期的にフィルタケースを引き出して確認し、溜まっている場合に掃除をする必要があった。このために、確認を忘れると糸くずが溜まり過ぎて乾燥風の流れが阻害され、乾燥効率が低下するという課題があった。
【０００８】
また、使用者にフィルタの目詰まりを知らせるために、例えばフィルタ掃除ランプを設けて、運転終了後に一定時間点滅させ、掃除してもらえるよう促したとしても、一定時間が過ぎてしまえば自動的に電源が切れてしまうので、次回運転時に使用者が気付かずにフ
ィルタの掃除をせず運転を行なってしまい、乾燥効率が低下するという課題があった。
【０００９】
本発明は、前記従来の課題を解決するもので、使用者にフィルタが目詰まりしていることを確実に伝え、フィルタの掃除を促すことにより、乾燥性能の低下を防止し、また使用者に対するフィルタの目詰まりの無駄な報知を減らすことで省エネを実現することができる洗濯乾燥機を提供することを目的とする。
【課題を解決するための手段】
【００１０】
本発明は、前記従来の課題を解決するために、洗濯物を収容する回転ドラムと、前記回転ドラムを回転自在に内包する水槽と、前記回転ドラムを回転駆動するモータと、前記水槽および回転ドラム内に乾燥用空気を供給する乾燥手段と、洗い、すすぎ、脱水、乾燥の一連の行程を逐次制御する制御手段と、前記水槽および前記乾燥手段に連通し乾燥用空気を循環させる循環送風経路と、前記循環送風経路内に配設されたフィルタ室と、前記フィルタ室に着脱自在に収納され乾燥用空気に混入した異物を濾過するフィルタと、前記フィルタの目詰まりを検知する目詰まり検知手段と、前記フィルタの目詰まりを報知し前記フィルタ掃除を使用者に促すフィルタ掃除ランプと、前記制御手段への電源を入切する電源スイッチと、前記制御手段への入力設定を行う入力設定手段と、前記フィルタ掃除ランプを有すると共に前記入力設定の内容や運転状態を表示する表示手段とを備え、前記制御手段は、乾燥行程において前記目詰まり検知手段により前記フィルタの目詰まりを検知し、乾燥行程運転終了後に前記フィルタ掃除ランプを点滅もしくは点灯させ、前記フィルタ掃除ランプの点滅もしくは点灯後、所定時間内に前記電源スイッチにより電源が切られなかった場合には前記所定時間経過後自動的に電源を切り、次回運転時に前記電源スイッチにより電源が入った時に前記フィルタ掃除ランプを点滅もしくは点灯させるとともに、前記所定時間内に前記電源スイッチにより電源が切られた場合には次回運転時に前記電源スイッチにより電源が入った時に前記フィルタ掃除ランプを消灯させる構成としたものである。
【００１１】
これによって、使用者にフィルタが目詰まりしていることを確実に伝え、フィルタの掃除を促すことにより、乾燥性能の低下を防止することができる。
【発明の効果】
【００１２】
本発明の洗濯乾燥機は、使用者にフィルタが目詰まりしていることを確実に伝え、フィルタの掃除を促すことにより、乾燥性能の低下を防止することができる。また、フィルタ目詰まりの誤報知を防止し、無駄な報知を減らすことで省エネも実現することができる。
【図面の簡単な説明】
【００１３】
【図１】本発明の実施の形態における洗濯乾燥機の縦断面図
【図２】同洗濯乾燥機の操作表示部の拡大図
【図３】従来の洗濯乾燥機の縦断面図
【発明を実施するための形態】
【００１４】
第１の発明は、洗濯物を収容する回転ドラムと、前記回転ドラムを回転自在に内包する水槽と、前記回転ドラムを回転駆動するモータと、前記水槽および回転ドラム内に乾燥用空気を供給する乾燥手段と、洗い、すすぎ、脱水、乾燥の一連の行程を逐次制御する制御手段と、前記水槽および前記乾燥手段に連通し乾燥用空気を循環させる循環送風経路と、前記循環送風経路内に配設されたフィルタ室と、前記フィルタ室に着脱自在に収納され乾燥用空気に混入した異物を濾過するフィルタと、前記フィルタの目詰まりを検知する目詰まり検知手段と、前記フィルタの目詰まりを報知し前記フィルタ掃除を使用者に促すフィルタ掃除ランプと、前記制御手段への電源を入切する電源スイッチと、前記制御手段への入力設定を行う入力設定手段と、前記フィルタ掃除ランプを有すると共に前記入力設定の
内容や運転状態を表示する表示手段とを備え、前記制御手段は、乾燥行程において前記目詰まり検知手段により前記フィルタの目詰まりを検知し、乾燥行程運転終了後に前記フィルタ掃除ランプを点滅もしくは点灯させ、前記フィルタ掃除ランプの点滅もしくは点灯後、所定時間内に前記電源スイッチにより電源が切られなかった場合には前記所定時間経過後自動的に電源を切り、次回運転時に前記電源スイッチにより電源が入った時に前記フィルタ掃除ランプを点滅もしくは点灯させるとともに、前記所定時間内に前記電源スイッチにより電源が切られた場合には次回運転時に前記電源スイッチにより電源が入った時に前記フィルタ掃除ランプを消灯させることにより、使用者にフィルタが目詰まりしていることを確実に伝え、フィルタの掃除を促すことができ、乾燥性能の低下を防止することができる。
【００１５】
第２の発明は、特に、第１の発明において、前記フィルタの前記フィルタ室からの着脱を検知するフィルタ検知手段を有し、前記制御手段は、前記フィルタ掃除ランプの点滅もしくは点灯後、前記所定時間内に前記フィルタが取り外されたことを前記フィルタ検知手段が検知した場合には、次回運転時に前記電源スイッチにより電源が入った時に前記フィルタ掃除ランプを消灯させることにより、誤報知を防ぐと共に、フィルタ掃除ランプを無駄に点滅もしくは点灯させることがなくなるので省エネである。
【００１６】
第３の発明は、特に、第２の発明の制御手段は、前記フィルタ掃除ランプの点滅もしくは点灯後、前記所定時間内に前記フィルタが取り外されたことを前記フィルタ検知手段が検知した場合には、自動的に電源を切るので、省エネが実現できる。
【００１７】
以下、発明の実施の形態について、図面を参照しながら説明する。また、この実施の形態によって本発明が限定されるものではない。
【００１８】
（実施の形態１）
図１は本発明の実施の形態における洗濯乾燥機の縦断面図、図２は、本発明の実施の形態における洗濯乾燥機の操作表示部である。
【００１９】
図１および図２において、洗濯乾燥機１は、洗濯乾燥機本体４４内に図示しないサスペンション構造によって水槽３が宙吊り状態に配設され、水槽３内に有底円筒形に形成された回転ドラム２がその軸心方向を正面側から背面側に向けて下向きに傾斜させて配設されている。水槽３の正面側には回転ドラム２の開口端に通じる衣類出入口１１が形成され、洗濯乾燥機本体４４の正面側に形成され上向き傾斜面に設けられた開口部を開閉可能に閉じる扉９を開くことにより、衣類出入口１１を通じて回転ドラム２内に対して洗濯物を出し入れすることができる。扉９が上向き傾斜面に設けられているため、洗濯物を出し入れする作業を、腰を屈めることなく実施できる。
【００２０】
回転ドラム２には、その周面に水槽３内に通じる多数の透孔８が形成され、内周面の複数位置に撹拌突起（図示せず）が設けられている。この回転ドラム２は水槽３の背面側に取り付けられたモータ７によって正転及び逆転方向に回転駆動される。また、水槽３には、注水管路１２及び排水管路１３が配管接続され、図示しない注水弁及び排水弁の制御によって水槽３内への注水及び排水がなされる。
【００２１】
制御手段８８は、洗濯乾燥機本体４４の内方下面部に配設され、洗い、すすぎ、脱水、乾燥等の一連の行程を制御する。入力設定手段１４は、使用者が制御手段８８に対して洗濯コースなどの入力設定を行い、表示手段１０は入力設定手段１４によって行われた入力設定の内容の表示や運転状態の表示などを行う。操作表示部４は入力設定手段１４および表示手段１０をまとめて扉９の上方に配置している。なお表示手段１０の制御は制御手段８８によってなされるものである。
【００２２】
扉９を開いて回転ドラム２内に洗濯物及び洗剤を投入して、操作表示部４で洗濯コースなどの設定を行い、運転を開始させると、水槽３内には注水管路１２から所定量の注水がなされ、モータ７により回転ドラム２が回転駆動されて洗濯行程が開始される。回転ドラム２の回転により、回転ドラム２内に収容された洗濯物は回転ドラム２の内周壁に設けられた撹拌突起によって回転方向に持ち上げられ、持ち上げられた適当な高さ位置から落下する撹拌動作が繰り返されるので、洗濯物には叩き洗いの作用が及んで洗濯がなされる。所定の洗濯時間の後、汚れた洗濯液は排水管路１３から排出され、回転ドラム２を高速回転させる脱水動作により洗濯物に含まれた洗濯液を脱水し、その後、水槽３内に注水管路１２から注水してすすぎ行程が実施される。このすすぎ行程においても回転ドラム２内に収容された洗濯物は回転ドラム２の回転により撹拌突起により持ち上げられて落下する撹拌動作が繰り返されて、すすぎ洗いが実施される。
【００２３】
この洗濯乾燥機１には、回転ドラム２内に収容した洗濯物を乾燥する機能が設けられ、水槽３内の空気を排気して除湿した後、乾燥した空気を加熱して再び水槽３内に送風する循環送風経路５が形成されている。
【００２４】
この循環送風経路５の途中には蒸発器などの除湿手段、凝縮器などの加熱手段、及び、送風手段である送風ファン６６が設けられた乾燥手段としてのヒートポンプユニット３１が配置してあり、この送風ファン６６を回転駆動することにより、循環送風経路５に空気の流れが発生し、洗濯物を収容した回転ドラム２内の空気は透孔８を通じて水槽３から送風ファン側への循環空気導入管路１６に排気され、送風ファン６６の上流に位置する蒸発器に水分を結露させて除湿することと、４００℃程度に昇温する凝縮器との熱交換により加熱することとで常に乾燥した高温の空気とされる。この乾燥した高温の空気は、送風ファン６６から水槽３へ導通する送風管路３３に送り出されて水槽３内に送風される。水槽３内に送風された高温の乾燥空気は透孔８を通じて回転ドラム２内に入って衣類などの洗濯物にさらされながら再び水槽３へと抜け、循環空気導入管路１６へと導入され、以上の循環送風経路５での空気の循環の繰り返しにより乾燥行程が実施される。
【００２５】
また、この循環送風経路５を利用した乾燥行程では、循環送風経路５を流れる空気中に主として衣類などの洗濯物から発生する糸くずなどの異物が混じって循環し、ヒートポンプユニット３１の蒸発器や凝縮器の目詰まり、送風ファン６６の回転部への噛み込み、送風ファン６６の内面への堆積といった乾燥性能を低下させる原因が発生する。事前にこれを防止するために、循環送風経路５の途中に、具体的には蒸発器、凝縮器、送風ファン６６が設けられたヒートポンプユニット３１の上流側の循環空気導入管路１６の途中に、循環空気中の異物を除去するフィルタ５１を収容したフィルタ室３６を設けている。これによって、洗濯物を乾燥させた後の空気に糸くずなどの異物が混入して、蒸発器側の循環空気導入管路１６側に導入されてきても、フィルタ室３６を通る際にフィルタ５１によって捕集され、下流側への循環空気に混入することはない。従って、ヒートポンプユニット３１の蒸発器、凝縮器、送風ファン６６の機能が長期に保全される。
【００２６】
しかし一方では、フィルタ室３６内のフィルタ５１には捕集された糸くずなどの異物が堆積していき、循環空気の通気抵抗が徐々に増して風量が低下することによって、乾燥機能が低下してしまうという問題があるので、フィルタ５１は掃除ができるように着脱可能になっている。
【００２７】
また、循環空気導入管路１６内のフィルタ室３６下流には、目詰まり検知手段１７が設けられている。目詰まり検知手段１７としては、例えばサーミスタを使用し、サーミスタによる循環空気の温度検知によって、フィルタ５１の目詰まりを検知することができる。
【００２８】
また、フィルタ５１とフィルタ室には、永久磁石（図示せず）とホールセンサ（図示せず）との組み合わせで構成されたフィルタ検知手段７７が設けられており、フィルタ５１がフィルタ室３６から外されているのか、セットされているのかを検知することができる。
【００２９】
図２において、操作表示部４は、入力設定手段１４として、洗濯乾燥機に電源を入れる際に操作する電源スイッチ１４ｉ、および電源を切る際に操作する電源スイッチ１４ｈ、洗濯等の動作をスタートあるいは一時停止する際に操作するスタートスイッチ１４ｇや、洗濯のみを運転するのか、乾燥のみを運転するのか、洗濯と乾燥の両方を運転するのかを選択する洗濯乾燥切り替えスイッチ１４ｆ、各運転コースを選択するコーススイッチ１４ｅ、更に洗い・すすぎ・脱水及び乾燥の各行程の詳細時間および運転するか否かを選択する個別時間設定スイッチ１４ａ、１４ｂ、１４ｃ、１４ｄ等を有している。なお、電源の入り切りについては、自動ＯＦＦ機能にて、運転終了後電源を切る際に操作する電源スイッチ１４ｈが押されなくても、所定時間が経過すると、自動的に電源が切れるよう制御手段８８により制御されている。
【００３０】
また、表示手段１０は、設定された運転コースを表示するコースランプ１０ｃ、洗濯乾燥切り替えスイッチ１４ｆの設定を表示する洗濯乾燥ランプ１０ｄ、３桁の７セグメント表示部で、布量判定後の洗剤量表示や残時間表示などを行うデジタル表示部１０ｂ、個別設定された時間を表示する個別設定ランプ１０ｅ、チャイルドロックを設定した場合に点灯表示させるチャイルドロックランプ１０ａ、および、フィルタ５１に糸くずなどが詰まり、目詰まり検知手段１７でその詰まりを検知して、掃除を注意喚起するときに点滅もしくは点灯させるフィルタ掃除ランプ１０ｆ等を有している。なお、フィルタ５１がフィルタ室３６にセットされずに乾燥行程が開始すると、この表示手段１０にて異常表示を行なう。
【００３１】
以上のように構成された洗濯乾燥機について、以下その動作、作用を説明する。
【００３２】
この洗濯乾燥機が運転スタートし、乾燥行程中に、目詰まり検知手段１７により、フィルタ５１が目詰まりしたことを検知した場合、すぐに運転を停止させるのでは無くて、通常より運転時間を延長して乾燥行程を行ない、運転を終了させる。
【００３３】
そして、運転終了後、直ぐに自動的に電源を切るのではなくて、所定時間、操作表示部４の表示手段１０にあるフィルタ掃除ランプ１０ｆを点滅もしくは点灯させることで、使用者にフィルタ５１を掃除するように注意喚起を行う。運転終了後に使用者にフィルタ５１の目詰まりを知らせる表示は長ければ長いほど確実に伝えることができるが、省エネという観点からは望ましいものではなく、例えば４時間程度経過すると自動的に表示を停止し電源そのものを切るような設定としている。
【００３４】
所定時間の４時間が経って、自動的に電源が切れた場合は使用者にフィルタ５１の目詰まりを知らせることができなかったと判断し、使用者が次回洗濯や乾燥を行うために電源を入れる際に操作する電源スイッチ１４ｉを押した時に再度フィルタ掃除ランプ１０ｆを点滅させて、使用者にフィルタ５１掃除の注意喚起を行なう。
【００３５】
所定時間の４時間以内に電源が切れた場合は、自動的に電源が切れた場合と異なり電源を切る際に操作する電源スイッチ１４ｈが押されたということなので、使用者が洗濯物を取りに来てこのフィルタ掃除ランプ１０ｆの点滅に気付き、フィルタ５１を取り外して掃除がなされたものと判断し、使用者が次回洗濯や乾燥を行うために電源を入れる際に操作する電源スイッチ１４ｉを押した時にフィルタ掃除ランプ１０ｆは消灯しておく。なお、フィルタ５１の取り外しは、フィルタ検知手段７７にて検知することができ、例えば４時
間以内に電源が切れる前に、フィルタ５１が外されたことを検知した後に再度セットされたことを検知した場合は使用者がフィルタ清掃を行ったと判断し、フィルタ掃除ランプ１０ｆを消灯させると共に電源を自動的に切り、使用者が次回洗濯や乾燥を行うために電源を入れる際に操作する電源スイッチ１４ｉを押した時にフィルタ掃除ランプ１０ｆは消灯しておく。これにより誤報知を防げ、また、フィルタ掃除ランプを無駄に点滅もしくは点灯させることがなくなるので省エネになる。
【００３６】
なお、本実施の形態では、フィルタ掃除の注意喚起方法として、ランプの点滅もしくは点灯としたが、このようなランプの表示による視覚効果だけでなく、ブザー音によって聴覚に訴えてもよい。
【００３７】
また、ランプを使った視覚に訴える点滅や点灯、ブザーを使った聴覚に訴える方法は、運転終了後と次回電源投入時でこれら組み合わせを変えることも有効であり、例えば運転終了後の４時間はフィルタ掃除ランプの点灯のみとし、次回電源が投入されたときにはフィルタ掃除ランプの点滅とブザーを鳴らすことで、より強く訴えることにしてもよい。
【００３８】
以上のように、本実施の形態においては、制御手段は、乾燥行程において前記目詰まり検知手段により前記フィルタの目詰まりを検知し、乾燥行程運転終了後に前記フィルタ掃除ランプを点滅もしくは点灯させ、前記フィルタ掃除ランプの点滅もしくは点灯後、所定時間内に前記電源スイッチにより電源が切られなかった場合には前記所定時間経過後自動的に電源を切り、次回運転時に前記電源スイッチにより電源が入った時に前記フィルタ掃除ランプを点滅もしくは点灯させるとともに、前記所定時間内に前記電源スイッチにより電源が切られた場合には次回運転時に前記電源スイッチにより電源が入った時に前記フィルタ掃除ランプを消灯させる構成としたことにより、使用者にフィルタが目詰まりしていることを確実に伝え、フィルタの掃除を促すことができ、乾燥性能の低下を防止することができる。
【００３９】
また、前記フィルタの前記フィルタ室からの着脱を検知するフィルタ検知手段を有し、前記制御手段は、前記フィルタ掃除ランプの点滅もしくは点灯後、前記所定時間内に前記フィルタが取り外されたことを前記フィルタ検知手段が検知した場合には、次回運転時に前記電源スイッチにより電源が入った時に前記フィルタ掃除ランプを消灯させることにより、誤報知を防ぐと共に、フィルタ掃除ランプを無駄に点滅もしくは点灯させることがなくなるので省エネである。
【００４０】
また、制御手段は、前記フィルタ掃除ランプの点滅もしくは点灯後、前記所定時間内に前記フィルタが取り外されたことを前記フィルタ検知手段が検知した場合には、自動的に電源を切るので、省エネが実現できる。
【産業上の利用可能性】
【００４１】
以上のように、本発明にかかる洗濯乾燥機は、使用者にフィルタが目詰まりしていることを確実に伝え、フィルタの掃除を促すことにより、乾燥性能の低下を防止し、省エネの実現も可能となるので、衣類を乾燥する機能を有する他の洗濯機等の電化機器の用途に適用できる。
【符号の説明】
【００４２】
２  回転ドラム
３  水槽
４  操作表示部
５  循環送風経路
７  モータ
１０  表示手段
１０ｆ  フィルタ掃除ランプ
１４  入力設定手段
１４ｈ  電源を切る際に操作する電源スイッチ
１４ｉ  電源を入れる際に操作する電源スイッチ
１７  目詰まり検知手段
３１  ヒートポンプユニット（乾燥手段）
３６  フィルタ室
４４  洗濯乾燥機本体
５１  フィルタ
７７  フィルタ検知手段
８８  制御手段
【図１】
2013013536.tif 000003
【図２】
2013013536.tif 000004
【図３】
2013013536.tif 000005